(57)【特許請求の範囲】
【請求項１】
外部から供給された加湿空気を室内に吹き出す加湿機能を有し、この加湿空気を室内空気と混合させて室内へ吹き出す空気調和機であって、上記加湿空気を吹き出すダクト（１０）にフィルタ（３０）挿入用の開口部（１７）を設け、この開口部（１７）にフィルタ（３０）を着脱自在に装着し、さらにフィルタ（３０）の非装着時に、上記開口部（１７）の開口面を閉塞する蓋体（４３）を設けていることを特徴とする加湿機能を有する空気調和機。
【請求項２】
上記ダクト（１０）は室内熱交換器（４）の前面側に配設され、上記フィルタ（３０）はケーシングの前面側から着脱可能としていることを特徴とする請求項１の加湿機能を有する空気調和機。
【請求項３】
上記フィルタ（３０）の上部には取り出し用のリブ（３３）を設けていることを特徴とする請求項１又は請求項２の加湿機能を有する空気調和機。
【発明の詳細な説明】
【０００１】
【発明の属する技術分野】
この発明は、外部から供給された加湿空気を室内に吹き出す加湿機能を有する空気調和機に関するものである。
【０００２】
【従来の技術】
従来、加湿機能を有する空気調和機は、外部から供給された加湿空気を室内に吹き出して室内を加湿するものである。この加湿機能を有する空気調和機は、室外において吸着材に水分を吸着させる一方、その吸着材から外気に水分を付与することによって空気加湿を行ない、この加湿空気を配管を通じて室内機に供給するものである。そして、室内機の内部では、加湿空気を加湿ダクトにて吹き出し側を室内熱交換器の上流側に配置して、室内に加湿空気を送っていた。
【０００３】
【発明が解決しようとする課題】
ところで、従来の加湿機能を有する空気調和機においては、屋外からの搬送されて加湿ダクトを介した空気を、室内からの空気と直接混合させて吹き出させていた。そのため、屋外からのホコリや塵が室内機の吐出口から吹き出され、室内を汚したり、不衛生感を与えるという問題があった。
【０００４】
この発明は、上記従来の欠点を解決するためになされたものであって、その目的は、ダクト側にフィルタを設けて、屋外からの加湿空気に含まれているホコリや塵を取り除き、清浄化された加湿空気を室内に送るようにすることが可能な加湿機能を有する空気調和機を提供することにある。
【０００５】
【課題を解決するための手段】
そこで請求項１の加湿機能を有する空気調和機は、外部から供給された加湿空気を室内に吹き出す加湿機能を有し、この加湿空気を室内空気と混合させて室内へ吹き出す空気調和機であって、上記加湿空気を吹き出すダクト１０にフィルタ３０挿入用の開口部１７を設け、この開口部１７にフィルタ３０を着脱自在に装着し、さらにフィルタ３０の非装着時に、上記開口部１７の開口面を閉塞する蓋体４３を設けていることを特徴としている。
【０００６】
上記請求項１の加湿機能を有する空気調和機では、屋外からの加湿空気に含まれているホコリや塵をフィルタ３０にて取り除くことができて、室内には清浄化された加湿空気を吹き出すことができ、また、利用者に不衛生感を与えることもない。また、長時間使用してフィルタ３０にホコリや塵が吸着しても、フィルタ３０を開口部１７から容易に取り外してフィルタ３０の洗浄ができ、フィルタ３０の目詰まりを起すこともない。さらに、フィルタ３０の洗浄時等において、もし仮にフィルタ３０の装着を忘れても、開口部１７の開口面は蓋体４３にて閉塞され、開口部１７からの加湿空気漏れによる結露の発生を防止することができる。
【００１１】
請求項２の加湿機能を有する空気調和機は、上記ダクト１０は室内熱交換器４の前面側に配設され、上記フィルタ３０はケーシングの前面側から着脱可能としていることを特徴としている。
【００１２】
上記請求項２の加湿機能を有する空気調和機では、フィルタ３０の洗浄を行なう場合でも、室内機１の前面側からフィルタ３０の取り外しや装着ができ、フィルタ３０の交換を容易に行える。
【００１３】
請求項３の加湿機能を有する空気調和機は、上記フィルタ３０の上部には取り出し用のリブ３３を設けていることを特徴としている。
【００１４】
上記請求項３の加湿機能を有する空気調和機では、リブ３３を指で引っ掛けて引き出すだけで、フィルタ３０をダクト１０からに取り出すことができるので、フィルタ３０の洗浄等を容易に行える。
【００１５】
【発明の実施の形態】
（第１の実施の形態）
次に、この発明の加湿機能を有する空気調和機の具体的な実施の形態について、図面を参照しつつ詳細に説明する。先ず、図１〜図７により第１の実施形態を説明する。図２（ａ）は室内機１の破断平面図を示し、図２（ｂ）は室内機１の破断正面図を示している。また、図１はケースを除いた室内機１の側面図を示しており、図中の右側が前面側で、図中左側が室内機１の背面側である。
【００１６】
室内機１のケーシングの前面には前面パネル２が開閉自在に配設されており、この前面パネル２に室内の空気を吸い込む吸込口３が形成されている。この吸込口３の下流側には図１に示すように、略逆Ｖ字型に形成された室内熱交換器４が配設されており、この室内熱交換器４の下流側であって、略中央部分に室内ファン５が配設されている。また、室内機１の下部には室内熱交換器４により冷房または暖房された空気、あるいはこれらの空調された空気に加湿空気を混合して室内に供給する吐出口６が形成されている。さらに、この吐出口６にはスイング可能な羽根７が配設してある。また、室内熱交換器４の下方には水滴等を受けるドレンパン８が配設されていて、その排水口９には図外のホースが接続されて外部に排水されるようになっている。
【００１７】
図１及び図２に示すように、室内熱交換器４の上流側であって、該室内熱交換器４の前面の下部の左側には、外部から供給された加湿空気を室内に吹き出すための加湿ダクト１０が配設されている。この加湿ダクト１０は、図３に示すように、ダクト本体１１と、このダクト本体１１の一面側に覆設されるダクトカバー１２とで構成されている。ダクト本体１１にダクトカバー１２を装着することで、内部に加湿空気を流す流路となる空洞部が形成される。ダクト本体１１の両側には係止突起１３が複数箇所に形成されていて、この係止突起１３と凹凸嵌合する係止穴を備えた略コ字型の係止片１４がダクトカバー１２の両側に設けられている。図４はダクト本体１１にダクトカバー１２を装着した加湿ダクト１０の側面図を示している。なお、上記の係止突起１３と係止片１４の嵌合以外にダクト本体１１とダクトカバー１２とはネジ（図示せず）により結合されるようになっている。
【００１８】
合成樹脂製の加湿ダクト１０の上流側には、円筒状の吸込部１５が形成されており、この吸込部１５には、室外機側からの加湿空気を供給するための室内接続ホース（図示せず）の一端が接続されるようになっている。また、加湿ダクト１０の下流側、つまりダクト本体１１の上部には、図３〜図５に示すように、プレフィルタ３０を着脱自在に装着するためのフィルタ装着部１６が一体に形成してある。このフィルタ装着部１６は上下方向に長い四角枠状に形成されており、上下に貫通する穴１７が穿孔されている。そして、この穴１７にプレフィルタ３０が装着されるようになっている。
【００１９】
プレフィルタ３０は図５及び図７に示すように合成樹脂製で形成されており、下部には網状のフィルタ部３１が一体に形成されている。プレフィルタ３０の上部には位置決めリブ３２が一体に周設され、さらに上端にはプレフィルタ３０をフィルタ装着部１６から取り出す場合に指引っ掛け用の取り出しリブ３３が一体に形成してある。プレフィルタ３０の位置決めリブ３２と、フィルタ装着部１６の上面の大きさは略同じとしてあり、プレフィルタ３０をフィルタ装着部１６の穴１７に挿入した際に、位置決めリブ３２の周囲の下面がフィルタ装着部１６の上面に当接して、プレフィルタ３０がフィルタ装着部１６に位置決めされて装着されることになる。
【００２０】
プレフィルタ３０をフィルタ装着部１６の穴１７に挿入した状態では、プレフィルタ３０のフィルタ部３１がフィルタ装着部１６の下面より突出するようになっており、フィルタ部３１はダクトカバー１２の上部のコ字型の開口面２０より若干前方（図では内側）に位置するようになっている。そして、この開口面２０の上方にフィルタ装着部１６の下面が位置し、これにより、四角形状の加湿ダクト１０の吹出口２１を形成している。加湿ダクト１０の吸込部１５から加湿空気が供給されて図６に示す内部の流路２２を通り、上記吹出口２１から加湿空気が吹き出され、室内熱交換器４側に送られる。
【００２１】
図６に示すように、加湿ダクト１０の吹出口２１側の流路２２は拡大すべく下方に傾斜する傾斜部２３が形成されており、これにより、吹き出し前の流路２２が拡大して、加湿空気の吹き出し流速を落としている。このように、吹出口２１からの加湿空気の吹き出し流速を落とすことで、加湿空気の飛散を防止しており、加湿空気漏れによる吹出口２１の周囲の結露を防止している。
【００２２】
ところで、室内熱交換器４は図２に示すように、所定のピッチ毎に並設した多数枚の平板状のフィン２４と、これらのフィン２４の間を挿通して冷媒が循環する伝熱管２５とで構成されている。そして、室内熱交換器４のフィン２４の前端面に加湿ダクト１０の吹出口２１の開口面２０が所定の間隔をあけて対面するようにして加湿ダクト１０を配設している。これにより、吹出口２１からの加湿空気は室内熱交換器４のフィン２４と平行に吹き出されて、加湿空気は室内空気と混合されて効率良くフィン２４間を通って室内側に供給されることになる。
【００２３】
このように、加湿ダクト１０の吹出口２１の手前にプレフィルタ３０のフィルタ部３１を介設していることで、このフィルタ部３１により屋外から供給された加湿空気に含まれているホコリや塵を取り除くことができる。したがって、室内へは清浄化された加湿空気を送ることができ、利用者に不衛生感を与えることもないものである。
【００２４】
また、長時間使用しているとフィルタ部３１には多くのホコリや塵が吸着されて目詰まりを起すことになるので、所定時間の使用毎にはプレフィルタ３０をフィルタ装着部１６から取り出して洗浄するようにしている。すなわち、プレフィルタ３０を装着した加湿ダクト１０を配設した状態では、図１及び図２に示すように、室内機１の前面側に配設されており、また、プレフィルタ３０も前面側に位置している。そこで、前面パネル２を開けると、プレフィルタ３０が前面側に位置しているので、プレフィルタ３０の取り出しリブ３３を指で掴んでそのまま斜め上方に引き上げることで、プレフィルタ３０を加湿ダクト１０から容易に取り外すことができる。そして、プレフィルタ３０のフィルタ部３１を洗浄した後はプレフィルタ３０をフィルタ装着部１６の穴１７に挿入することで、プレフィルタ３０を加湿ダクト１０に容易に装着できる。
【００２５】
（第２の実施の形態）
次に、図８〜図１３により第２の実施形態について説明する。先の実施形態では、加湿ダクト１０のフィルタ装着部１６からプレフィルタ３０を取り外して洗浄するようにしているが、不用意にプレフィルタ３０を装着せずに室内機１を運転する恐れがある。そこで、本実施形態では不用意にプレフィルタ３０を装着せずに運転した場合には、フィルタ装着部１６の穴１７を閉塞するようにして、穴１７からの加湿空気漏れによる結露の発生を防止するようにしたものである。
【００２６】
すなわち、図８及び図９に示すように、加湿ダクト１０の上部のフィルタ装着部１６にシャッター機能を備えたシャッターケース４０を装着するようにしたものである。このシャッターケース４０は四角枠状に形成されており、上下に貫通する穴４１が形成されている。そして、シャッターケース４０の内部の上部にはコイルスプリング状のバネ４２により開閉自在とした平板状のシャッター４３が設けられている。
【００２７】
図１０はシャッターケース４０を示し、加湿ダクト１０のフィルタ装着部１６を上部から覆設する大きさであり、シャッターケース４０の下面は加湿ダクト１０の上面の形状に合わせて曲面形状としてある。また、シャッターケース４０の両側の側面には、フィルタ装着部１６の両側の側面に突設した突起３４と係合する係合孔４４がそれぞれ穿設されており、シャッターケース４０をフィルタ装着部１６に被せていき、係合孔４４を突起３４に係合することで、シャッターケース４０がフィルタ装着部１６に確実に固定されるようになっている。
【００２８】
図１１はシャッター４３を示しており、シャッター４３の下面には補強用の凸リブ４５が形成されている。また、シャッター４３の一方の端部には該シャッター４３の回転軸となる軸４６が形成されていて、他方の端部にも回転軸となる軸４７が形成されている。この軸４７は軸４６よりも長く形成されていて、この軸４６に上記バネ４２が挿通されるようになっている。シャッターケース４０の内部の上部には図１３（ａ）に示すように軸４７を軸支する軸穴５０が穿孔されており、また、図１３（ｂ）に示すように他方の軸４６を軸支する軸穴５１が上記軸穴５０と対向する位置に形成されている。また、この軸穴５１の下方は切欠部５２が切り欠いてあり、シャッター４３のバネ４２を装着した軸４７を軸穴５０に挿入し、他方の軸４６を切欠部５２を介して軸穴５１に挿入することで、シャッター４３の軸４６、４７がシャッターケース４０の軸穴５０、５１に軸支されて、図１２（ａ）に示すようにシャッターケース４０内にシャッター４３が装着される。
【００２９】
図１２（ｂ）はバネ４２の側面図を示し、バネ４２が軸４７に装着された状態では、該バネ４２の一端４２ａがシャッターケース４０の内壁面４０ａに弾接すると共に、バネ４２の他端４２ｂがシャッター４３の下面に弾接するようになっている。そのため、プレフィルタ３０がシャッターケース４０内に挿入されない状態では、図１２（ａ）に示すようにバネ４２の付勢力によりシャッター４３は穴４１の開口面を閉じる方向に付勢され、また、プレフィルタ３０が挿入される場合には、バネ４２の付勢力に抗してシャッター４３があけられる。
【００３０】
プレフィルタ３０をシャッターケース４０の穴４１に挿入すると共に、加湿ダクト１０のフィルタ装着部１６の穴１７に挿入することで、先の実施形態と同様にプレフィルタ３０のフィルタ部３１が加湿ダクト１０の吹出口２１の手前に位置して、加湿空気のホコリや塵を除去する。また、プレフィルタ３０の洗浄時において、プレフィルタ３０を加湿ダクト１０のフィルタ装着部１６及びシャッターケース４０から取り外すと、シャッターケース４０のシャッター４３はバネ４２の付勢力にてシャッターケース４０の穴４１及び穴１７の上部の開口面を閉塞することになる。したがって、プレフィルタ３０の装着を忘れてそのまま室内機１を運転しても、シャッター４３により穴４１の開口面が閉塞されているので、ここから加湿空気が漏れるということはなく、そのため、加湿空気漏れによる周囲に結露が発生するということもない。
【００３１】
以上にこの発明の加湿機能を有する空気調和機の具体的な実施の形態について説明したが、この発明は上記実施の形態に限定されるものではなく、この発明の範囲内で種々変更して実施することが可能である。例えば、上記実施の形態においては、別途シャッターケース４０を設けて、このシャッターケース４０内にシャッター４３を設けるようにしたが、シャッター４３の構成をフィルタ装着部１６内に直接設けるようにしても良い。
【００３２】
【発明の効果】
請求項１の加湿機能を有する空気調和機によれば、屋外からの加湿空気に含まれているホコリや塵をフィルタにて取り除くことができて、室内には清浄化された加湿空気を吹き出すことができ、また、利用者に不衛生感を与えることもない。また、上記ダクトにフィルタ挿入用の開口部を設け、この開口部に上記フィルタを着脱自在に装着しているので、長時間使用してフィルタにホコリや塵が吸着しても、フィルタを開口部から容易に取り外してフィルタの洗浄ができ、フィルタの目詰まりを起すこともない。さらに、フィルタの非装着時に、上記開口部の開口面を閉塞する蓋体を設けていることで、フィルタの装着を忘れても開口部の開口面は蓋体にて閉塞され、開口部からの加湿空気漏れによる結露の発生を防止することができる。
【００３５】
請求項２の加湿機能を有する空気調和機によれば、上記ダクトは室内熱交換器の前面側に配設され、上記フィルタはケーシングの前面側から着脱可能としているので、フィルタの洗浄を行なう場合でも、室内機の前面側からフィルタの取り外しや装着ができ、フィルタの着脱が苦にならないものである。
【００３６】
請求項３の加湿機能を有する空気調和機によれば、上記フィルタの上部には取り出し用のリブを設けているため、リブを指で引っ掛けて引き出すだけで、フィルタをダクトから容易に取り出すことができる。
【図面の簡単な説明】
【図１】この発明の第１の実施の形態の室内機の内部構造を示す側面図である。
【図２】（ａ）（ｂ）はこの発明の第１の実施の形態の室内機の破断平面図及び破断正面図である。
【図３】この発明の第１の実施の形態の加湿ダクトの分解側面図である。
【図４】この発明の第１の実施の形態の加湿ダクトの側面図である。
【図５】この発明の第１の実施の形態の加湿ダクトの吹出口を示す要部拡大斜視図である。
【図６】この発明の第１の実施の形態の加湿ダクトの破断側面図である。
【図７】（ａ）〜（ｃ）はこの発明の第１の実施の形態のプレフィルタの正面図、平面図及び側面図である。
【図８】この発明の第２の実施の形態シャッターケースとプレフィルタを装着した状態の加湿ダクトの前側から見た斜視図である。
【図９】この発明の第２の実施の形態シャッターケースとプレフィルタの分解斜視図である。
【図１０】（ａ）〜（ｄ）はこの発明の第２の実施の形態のシャッターケースの平面図、左側面図、右側面図及び正面図である。
【図１１】（ａ）〜（ｃ）はこの発明の第２の実施の形態のシャッターの正面図、底面図及び側面図である。
【図１２】（ａ）はこの発明の第２の実施の形態のシャッターを閉塞した状態を示すシャッターケースの要部断面図である。
（ｂ）はこの発明の第２の実施の形態のバネの側面図である。
【図１３】（ａ）はこの発明の第２の実施の形態の一方の軸穴の部分を示す要部断面図である。
（ｂ）はこの発明の第２の実施の形態の他方の軸穴の部分を示す要部断面図である。
【符号の説明】
１    室内機
２    前面パネル
４    室内熱交換器
１０    加湿ダクト
１６    フィルタ装着部
１７    穴
３０    プレフィルタ
３３    取り出しリブ
４０    シャッターケース
４３    シャッター
【図１】
0003587151.tif 000002
【図２】
0003587151.tif 000003
【図３】
0003587151.tif 000004
【図４】
0003587151.tif 000005
【図５】
0003587151.tif 000006
【図６】
0003587151.tif 000007
【図７】
0003587151.tif 000008
【図８】
0003587151.tif 000009
【図９】
0003587151.tif 000010
【図１０】
0003587151.tif 000011
【図１１】
0003587151.tif 000012
【図１２】
0003587151.tif 000013
【図１３】
0003587151.tif 000014